(57)【要約】【課題】点対称模様を描く準備が簡単で、模様型の位置が変わったり、姿勢が変わったりせず、正確な模様が描け、模様を描く効率のよい定規装置を提供する。【解決手段】前記模様を描く用紙２１の上に、四角のベース枠３を載置する。このベース枠３の上に、枠目印７を、点対称にあらかじめ付ける。これら複数の枠目印７を点対称の方向に結んだ線の交差点として中心点９が得られる。位置決め定規５は、この中心点９を通って、ベース枠３を跨ぐ十分な長さを有する。この位置決め定規５には、窓１１が開けられ、模様要素２７の形状を抜いた模様型１３を嵌めることができる。また、位置決め定規５の上に、中心点９を確認できる透明部分またはスリット２９が設けられる。この透明部分またはスリット２９の上または近傍に、第１定規目印付けられ、中心点９と一致させる。位置決め定規５の先端近くには、第２定規目印１９が設けられ、枠目印７に合わせられる。【選択図】図６
2014117864.tif 000002
【特許請求の範囲】
【請求項１】
点対称に複数箇所に配置される模様要素から構成される模様を描くために使用される定規装置であって、前記模様を描く用紙の上に載置されるベース枠と、このベース枠の上に点対称にあらかじめ付けられた複数の枠目印と、これら複数の枠目印を点対称の方向に結んだ線の交差点として得られる中心点を通って、前記ベース枠を跨ぐ十分な長さを有する位置決め定規と、この位置決め定規に開けられ、前記模様要素の形状を抜いた模様型を嵌めることができる窓と、前記位置決め定規の上に設けられ、前記中心点を確認できる透明部分またはスリットと、この透明部分またはスリットの上または近傍に付けられ、前記確認した中心点と一致させるための複数の第１定規目印と、前記位置決め定規の先端近くに設けられ、前記枠目印に合わせるための第２定規目印と、を有してなる点対称模様を描く定規装置。
【請求項２】
前記ベース枠は四角形であり、前記複数の枠目印は４５度間隔に付けられ、前記窓は四角形であり、前記位置決め定規は、細長く、長手方向の軸線を線とする線対称の形状を有し、この軸線の上に、前記複数の第１定規目印および第２定規目印が、付けられたことを特徴とする請求項１に記載の点対称模様を描く定規装置。
【発明の詳細な説明】
【技術分野】
【０００１】
この発明は、曼陀羅模様のように、点対称に複数箇所に配置される模様要素から構成される模様を描くために使用される定規装置に関する。
【背景技術】
【０００２】
点対称に複数箇所に配置される模様要素から構成される模様は、いろいろの分野で登場するが、曼陀羅アートとして描かれる曼陀羅模様も、その一つである。曼陀羅模様は、見ているだけでも瞑想効果や癒し効果など心理的な効果があるといわれる。
また、曼陀羅模様を自ら描くこと、彩色をすることを心の内面を表現するツールとして使用することによって、大人から子どもまで、また様々な心理的事情を抱えた人にとって、写経と同じように心理的効果が期待できる。
【０００３】
この曼陀羅模様は、従来、図１０から図１４に示すような方法で描かれていた。すなわち、（１）用紙１０１の上に、必要な大きさの画面サイズとなるように、セロハンテープ１０３を貼り、四角形を作る（図１０）。（２）そして、この四角形の中央に中心点１０５を印す（同図）。（３）さらに、分度器やコンパスを用いて、この中心点を中心として、放射状に、模様に合わせた等角度間隔で、複数の目印１０７を印す。同図の場合は８等分の例である。
【０００４】
このように準備した後に、（４）定規１０９を、中心点１０５と目印１０７の１つに当てる（図１１）。（５）そして、中心点１０５からの所定の寸法を測り、その位置に、模様型１１１を位置させる（同図）。（６）模様型１１１には、あらかじめ模様要素１１３の形状が抜いて形成されており、この形状に沿ってペンなどでなぞり下絵とする。さらに、下地色を入れ、下絵を消す作業を行う。または点描を書き入る作業を行う。そのようにして、所定の位置に、所定の模様要素１１３が描かれる。
【０００５】
さらに、（７）定規１０９を、中心点１０５と目印１０７の別の１つに当て、（５）（６）をおこなうことで、等角度間隔の角度を変えた模様要素１１３が描かれる。この（７）を繰り返すことで、中心点を中心として、点対称に複数箇所に模様要素１１３が描かれる（図１２）。
（８）さらに、異なる形状の模様要素１１３−２、１１３−３を抜いた模様型を用い、中心点からの位置を変え、また、前記等角度間隔の角度を変えた目印１０７を用いて、（７）を繰り返すことで、複雑な曼陀羅模様が描かれ（図１３）、セロハンテープなどを外すと完成する（図１４）。
なお、下記特許文献１には、点対称ではないものの、楕円状の任意の箇所に、模様の基点を得ることができる定規が、開示される。この定規は、同心の複数の楕円曲線状に、スリットが形成されたものである。
【先行技術文献】
【特許文献】
【０００６】
【特許文献１】実公平０７−０１９８３７
【発明の概要】
【発明が解決しようとする課題】
【０００７】
しかしながら、図１０から図１４に示すような方法では、模様を描く効率が悪い。すなわち、新しく模様を描く度に、（３）の準備をせねばならず、また、（５）の中心点からの所定の寸法を定規で測り、その位置に、模様型を位置させる際に、模様型が指で扱いにくく、微妙に位置が変わったり、姿勢が変わってしまう。そうすると、正確な模様が描けないので、慎重に作業せねばならず、時間がかかり模様を描く効率が悪いものであった。
【０００８】
また、上記特許文献１を、仮に、楕円ではなく、真円として点対称に対応させるとしても、真円の任意の箇所に、模様の基点を得た後に、その基点に、模様型を正しく位置させ、正しい姿勢にするには、模様型は指で扱いにくく、やはり微妙に位置が変わったり、姿勢が変わってしまう。
【０００９】
この発明は、以上の問題点を解決するために、模様を描く準備が簡単で、模様型の位置が変わったり、姿勢が変わったりせず、正確な模様が描け、模様を描く効率のよい点対称模様を描く定規装置を提供することを目的とする。
【課題を解決するための手段】
【００１０】
以上の課題を解決するために、第一発明は、点対称に複数箇所に配置される模様要素から構成される模様を描くために使用される定規装置であって、前記模様を描く用紙の上に載置されるベース枠と、このベース枠の上に点対称にあらかじめ付けられた複数の枠目印と、これら複数の枠目印を点対称の方向に結んだ線の交差点として得られる中心点を通って、前記ベース枠を跨ぐ十分な長さを有する位置決め定規と、この位置決め定規に開けられ、前記模様要素の形状を抜いた模様型を嵌めることができる窓と、前記位置決め定規の上に設けられ、前記中心点を確認できる透明部分またはスリットと、この透明部分またはスリットの上または近傍に付けられ、前記確認した中心点と一致させるための複数の第１定規目印と、前記位置決め定規の先端近くに設けられ、前記枠目印に合わせるための第２定規目印と、を有してなる点対称模様を描く定規装置である。
【００１１】
第二発明は、さらに、前記ベース枠は四角形であり、前記複数の枠目印は４５度間隔に付けられ、前記窓は四角形であり、前記位置決め定規は、細長く、長手方向の軸線を線とする線対称の形状を有し、この軸線の上に、前記複数の第１定規目印および第２定規目印が、付けられたことを特徴とする点対称模様を描く定規装置である。
【発明の効果】
【００１２】
第一、又は第二発明によれば、ベース枠を用紙の上に載置する。このベース枠の上に、位置決め定規を跨がせる。そして、複数の枠目印を点対称の方向に結んだ線を少なくとも２本交差させ、その交差点として中心点を得る。そして、位置決め定規に開けられた窓に、模様要素の形状を抜いた模様型を嵌める。次に、中心点を通って、位置決め定規を跨がせ、中心点を、透明部分またはスリットを通して、所定の第１定規目印と一致させる。また、所定の枠目印を、定規の先端近くに設けられた第２定規目印に合わせる。これにより、中心点から所定の距離で所定の角度に、模様型を位置させることができる。模様型には、あらかじめ模様要素の形状が抜いて形成されており、この形状に沿ってペンなどでなぞることによる線描による描写方法で、またはベース色を着色した後に線描を消すことによる描写方法で、または点描などの現行のあらゆる描写方法で、所定の位置に、所定の模様要素が描かれる。
【００１３】
同様にして、また、別の所定の枠目印を、定規の第２定規目印に合わせ、模様型の模様要素の形状に沿ってペンなどでなぞり、別の所定の位置に、模様要素が描かれる。これを繰り返して、模様要素が点対称に描かれる。
以上のようにして、ベース枠の上にはあらかじめ複数の枠目印模様が付けられているので、模様を描く準備が簡単である。また、模様型は、位置決め定規の窓に嵌められたままなので、位置決め定規を中心点と枠目印とに合わせ位置決めするだけで、正確な位置と姿勢を得る。すなわち、模様型の位置が変わったり、姿勢が変わったりせず、正確な模様が描け、模様を描く効率がよい。
【００１４】
第二発明によれば、さらに、軸線の上に、複数の第１定規目印および第２定規目印が、付けられているので、第１定規目印および第２定規目印が認識しやすく、位置決め作業がしやすい。
【図面の簡単な説明】
【００１５】
【図１】この発明の一実施形態を示すベース枠の平面図である。
【図２】（Ａ)は、この発明の一実施形態を示す位置決め定規の平面図、（Ｂ）は、この発明の他の実施形態を示す位置決め定規の平面図である。
【図３】図２（Ａ）の位置決め定規に設けられた窓と模様型との関係を示すもので、（Ａ）は模様型の作成前の平面図、（Ｂ）は模様型の作成後の平面図、（Ｃ）は作成した模様型を窓に嵌め込んだ様子を示す平面図である。
【図４】用紙の上に載置したベース枠の平面図である。
【図５】図４のベース枠の上に、位置決め定規を跨がせ模様要素を描く状態の平面図である。
【図６】図５のベース枠の上で位置決め定規を別の角度にしながら次々に模様要素が描く状態の平面図である。
【図７】図６のようにして点対称に複数箇所に模様要素が描かれた状態の平面図である。
【図８】異なる模様要素を抜いた模様型を用い図５〜図６と同様の手順で、異なる模様要素が、点対称に、追加して描かれ、曼陀羅模様に近づいた状態の平面図である。
【図９】図８からベース枠を取り除いた平面図である。
【図１０】従来の技術で、用紙の上に曼陀羅模様を描くためにセロハンテープを貼り、四角形を作った状態の平面図である。
【図１１】図１０の状態で、定規を中心点と目印の１つに当て、中心点からの所定の寸法を測り、その位置に、模様型を位置させ、模様型にあらかじめ形成した模様要素の形状に沿ってペンなどでなぞり、模様要素を描く図である。
【図１２】定規を目印の別の１つに当て、図１１の手順を繰り返しておこなうことで、等角度間隔の角度を変えた模様要素が描かれた平面図である。
【図１３】異なる模様要素を抜いた模様型を用い図１１、図１２と同様の手順で、異なる模様要素が、点対称に、追加して描かれ、曼陀羅模様に近づいた状態の平面図である。
【図１４】図１３からセロハンテープを取り除いた平面図である。
【発明を実施するための形態】
【００１６】
この発明の実施形態を、図１〜図９に示す。
この実施形態の定規装置１は、曼陀羅模様、すなわち点対称に複数箇所に配置される模様要素から構成される模様を、描くために使用される。
この定規装置１は、ベース枠３（図１）と位置決め定規５（図２（Ａ））とを有し、図６のように使用する。
ベース枠３は、四角形であり、一定の幅を有し、模様を描く用紙の上に載置されて使用される。このベース枠３の上には、中心点を中心とした点対称に、中心角４５度の等角度間隔で、あらかじめ８本の放射状の線が、付けられ、複数の枠目印７となっている。
中心点は、ベース枠３の上にも用紙の上にも、作業の始めには具体的には目に見えない。そこで、模様を描く際には、これら複数の枠目印７を点対称の方向に結んだ線、すなわち、中心角１８０度の反対側の枠目印同士を結んだ線、を少なくとも２本引き、それらの線の交差点を、用紙の上に印して、目に見える中心点９とする。  
位置決め定規５は、この中心点９を通って、ベース枠３を跨ぐ十分な長さを有する。また、全体は細長い帯状を有し、両端は角がなく半円形である。この位置決め定規５の先端側には、四角い窓１１が開けられ、模様要素の形状を抜いた模様型１３を嵌めることができる。また、位置決め定規５は全体が透明なプラスチックで成型されており、そのため、中央付近にも、用紙上に印された中心点９を確認できる透明部分１４が存在することとなる。そして、帯状の長手方向の軸線１５が実際に線として付され、その線による線対称の形状を有する。この軸線１５の上に、中心点９と一致させるための複数の第１定規目印１７が付される。また、この軸線１５の先端近くは、枠目印７に合わせるための第２定規目印１９として機能する。
【００１７】
「実施形態の作業手順および効果」
この実施形態によれば、以下の手順で作業を行い、曼陀羅模様を描く。
まず、図４に示すように、ベース枠３を用紙２１の上に載置する。重いベース枠３を使用すれば、ベース枠３がずれる可能性は小さいが、念のために、マスキングテープ２３を貼るとずれを完全に防止できる。また、このテープ２３は、曼陀羅を描く画面の大きさおよび形状を規定する。複数の枠目印７を、点対称の方向に結んだ線を少なくとも２本交差させ、その交差点として中心点９を、あらかじめ用紙２１に印す。
【００１８】
そして、図３に示すように、位置決め定規５の窓１１に嵌る大きさの板状の素材２５を用意し、その上に模様要素２７を描き（図３（Ａ））、カッターなどで、その模様要素２７の形状をくり抜いて、模様型１３を作成する（図３（Ｂ））。この素材は、アクリル、塩化ビニール、紙などが使用できる。そして、この模様型１３を、位置決め定規５の窓１１に嵌め込む（図３（Ｃ））。
【００１９】
次に図５に示すように、ベース枠３の上に、位置決め定規５を跨がせる。そして、中心点９を中心点９を、透明部分を通して、所定の第１定規目印１７と一致させる。また、所定の枠目印７、この図では上側中央の枠目印７を、定規の先端近くに設けられた第２定規目印１９に合わせる。これにより、中心点９から所定の距離で所定の角度に、模様型１３を位置させることができる。
模様型１３には、前述したように、あらかじめ模様要素２７の形状が抜いて形成されており、この形状に沿ってペンなどでなぞることで、所定の位置に、所定の模様要素２７が描かれる。
【００２０】
そして、図６に示すように、同様にして、また、別の所定の枠目印７を、定規の第２定規目印１９に合わせ、模様型１３の模様要素２７の形状に沿ってペンなどでなぞり、別の所定の位置に、模様要素２７が描かれる。これを繰り返して、別の中心角度で次々と模様要素２７が描かれ、ついには点対称に描かれる（図７）。
【００２１】
上記の模様要素２７は角張った菱形に類する形状であったが、次には、他の異なる形状を使用する。すなわち、丸みを帯びた紡錘形の形状を使用する。そして、図８に示すように、この異なる形状の模様要素２７−２を抜いた模様型１３を用い、さらに、中心点９を別の所定の第１定規目印１７と一致させることで、模様型１３の中心点９からの位置をやや変え、同様の手順を行えば、異なる模様要素２７−２が点対称に、追加して、描かれる（図９）。
【００２２】
このようにして、異なる形状の模様要素を抜いた模様型１３を多数用いることを繰り返せば、複雑な曼陀羅模様が描かれ得る。
以上のようにして、ベース枠３の上には、あらかじめ複数、すなわち８つの枠目印模様が付けられているので、模様を描く準備が簡単である。また、模様型１３は、位置決め定規５の窓１１に嵌められたままなので、位置決め定規５を中心点９と枠目印７とに合わせ位置決めする間に、手で触る必要がなく、正確な位置と姿勢を得る。すなわち、模様型１３の位置が変わったり、姿勢が変わったりせず、正確な模様が描ける。よって、模様を描く効率がよい。
【００２３】
さらに、位置決め定規５の軸線１５の上に、複数の第１定規目印１７および第２定規目印１９が、付けられているので、これら第１定規目印１７および第２定規目印１９が目視で認識しやすく、位置決め作業がしやすい。
「他の実施形態」
以上の実施形態では、位置決め定規５上の中央付近には、中心点９を確認できる透明部分が設けられたが、他の実施形態では、図２（Ｂ）に示すように、透明部分の代わりにスリット２９を設けてもよい。このスリット２９の縁部の近傍には、中心点９と一致させるための複数の第１定規目印１７が付される。
【００２４】
以上の実施形態では、８つの枠目印模様が設けられたが、他の実施形態では、この数は自由に決められる。
以上の実施形態では、模様型１３は、カッターなどで模様要素２７の形状をくり抜いて作成するものであったが、他の実施形態では、あらかじめくり抜いた既成の模様型１３が用意されていても良い。
以上の実施形態では、複数の枠目印は、３６０度を８等分して４５度間隔に印されたものであるが、他の実施形態では、図柄に合わせた任意の数の等分角度間隔で印されることができる。たとえば、１０等分なら３６度間隔に、１２等分なら３０度間隔に印されることができる。
【符号の説明】
【００２５】
１…定規装置、３…ベース枠、５…位置決め定規、７…枠目印、９…中心点、１１…窓、１３…模様型、１５…軸線、１７…第１定規目印、１９…第２定規目印、２１…用紙、２３…テープ、２５…板状の素材、２７…模様要素、２９…スリット。
【図１】
2014117864.tif 000003
【図２】
2014117864.tif 000004
【図３】
2014117864.tif 000005
【図４】
2014117864.tif 000006
【図５】
2014117864.tif 000007
【図６】
2014117864.tif 000008
【図７】
2014117864.tif 000009
【図８】
2014117864.tif 000010
【図９】
2014117864.tif 000011
【図１０】
2014117864.tif 000012
【図１１】
2014117864.tif 000013
【図１２】
2014117864.tif 000014
【図１３】
2014117864.tif 000015
【図１４】
2014117864.tif 000016